(57)【要約】【課題】当日に限らず、数日先の弁当も予約することができ、また、当日に欠席した構成員によって予約されていた弁当を無駄にしないような弁当発注管理システムを提供する。【解決手段】この弁当発注管理サーバは、弁当を必要とする日付及び弁当の種別を含む予約注文を構成員の端末装置から受信する送受信部と、送受信部によって受信された予約注文に基づいて、複数の構成員についての日付と予約された弁当の種別との対応関係を含む一覧情報を作成すると共に、出勤日の第１の所定の時刻に当日分の弁当に関する予約注文の受付を締め切って、当日分の弁当の予約内容を集計して弁当業者に対する弁当の発注内容を表す発注情報を作成し、出勤日の第２の所定の時刻に構成員の勤怠情報を収集して、当日に欠席した構成員によって予約されていた弁当に関する再予約注文の受付を行う集計部とを具備する。【選択図】図１
2008225990.tif 000002
【特許請求の範囲】
【請求項１】
組織の構成員からの弁当の予約注文に基づいて弁当業者に対する弁当の発注を管理するための弁当発注管理サーバであって、
弁当を必要とする日付及び弁当の種別を含む予約注文を構成員の端末装置から受信する送受信部と、
前記送受信部によって受信された予約注文に基づいて、複数の構成員についての日付と予約された弁当の種別との対応関係を含む一覧情報を作成すると共に、出勤日の第１の所定の時刻に当日分の弁当に関する予約注文の受付を締め切って、当日分の弁当の予約内容を集計して弁当業者に対する弁当の発注内容を表す発注情報を作成し、出勤日の第２の所定の時刻に構成員の勤怠情報を収集して、当日に欠席した構成員によって予約されていた弁当に関する再予約注文の受付を行う集計部と、
を具備する弁当発注管理サーバ。
【請求項２】
前記集計部が、構成員の勤怠情報に基づいて、当日に欠席した構成員によって予約されていた弁当に関する欠席者弁当情報を作成し、
前記送受信部が、前記集計部によって作成された欠席者弁当情報を構成員の端末装置に送信し、当日に欠席した構成員によって予約されていた弁当に対する再予約注文を構成員の端末装置から受信する、
請求項１記載の弁当発注管理サーバ。
【請求項３】
前記集計部が、前記送受信部によって受信された再予約注文に基づいて欠席者弁当情報を更新し、
前記送受信部が、前記集計部によって更新された欠席者弁当情報を構成員の端末装置に送信する、
請求項２記載の弁当発注管理サーバ。
【請求項４】
前記集計部が、予約の確定後に、前記送受信部によって受信された再予約注文に基づいて一覧情報を更新し、更新された一覧情報に基づいて個々の構成員について弁当代を計算する、請求項２又は３記載の弁当発注管理サーバ。
【請求項５】
前記集計部が、一覧情報に基づいて、個々の構成員についての日付と予約された弁当の種別との対応関係及び弁当代に関する情報を含む予約情報を作成し、
前記送受信部が、前記集計部によって作成された予約情報をそれぞれの構成員の端末装置に送信する、
請求項１〜４のいずれか１項記載の弁当発注管理サーバ。
【請求項６】
請求項１〜５のいずれか１項の記載の弁当発注管理サーバと、
前記弁当発注管理サーバに予約注文を送信する際に構成員が操作する端末装置と、
を具備する弁当発注管理システム。
【請求項７】
組織の構成員からの弁当の予約注文に基づいて弁当業者に対する弁当の発注を管理するための弁当発注管理サーバにおいて用いられる弁当発注管理方法であって、
弁当を必要とする日付及び弁当の種別を含む予約注文を構成員の端末装置から受信するステップ（ａ）と、
受信した予約注文に基づいて、複数の構成員についての日付と予約された弁当の種別との対応関係を含む一覧情報を作成するステップ（ｂ）と、
出勤日の第１の所定の時刻に当日分の弁当に関する予約注文の受付を締め切って、当日分の弁当の予約内容を集計して弁当業者に対する弁当の発注内容を表す発注情報を作成するステップ（ｃ）と、
出勤日の第２の所定の時刻に構成員の勤怠情報を収集して、当日に欠席した構成員によって予約されていた弁当に対する再予約注文の受付を行うステップ（ｄ）と、
を具備する弁当発注管理方法。
【請求項８】
ステップ（ｄ）が、
構成員の勤怠情報に基づいて、当日に欠席した構成員によって予約されていた弁当に関する欠席者弁当情報を作成するステップ（ｄ１）と、
ステップ（ｄ１）において作成された欠席者弁当情報を構成員の端末装置に送信するステップ（ｄ２）と、
当日に欠席した構成員によって予約されていた弁当に対する再予約注文を構成員の端末装置から受信するステップ（ｄ３）と、
を含む、請求項７記載の弁当発注管理方法。
【請求項９】
ステップ（ｄ）が、
ステップ（ｄ３）において受信された再予約注文に基づいて欠席者弁当情報を更新するステップ（ｄ４）と、
ステップ（ｄ４）において更新された欠席者弁当情報を構成員の端末装置に送信するステップ（ｄ５）と、
をさらに含む、請求項８記載の弁当発注管理方法。
【請求項１０】
予約の確定後に、ステップ（ｄ３）において受信された再予約注文に基づいて一覧情報を更新するステップ（ｅ）と、
ステップ（ｅ）において更新された一覧情報に基づいて個々の構成員について弁当代を計算するステップ（ｆ）と、
をさらに具備する請求項８又は９記載の弁当発注管理方法。
【請求項１１】
一覧情報に基づいて、個々の構成員についての日付と予約された弁当の種別との対応関係及び弁当代に関する情報を含む予約情報を作成するステップ（ｇ）と、
ステップ（ｇ）において作成された予約情報をそれぞれの構成員の端末装置に送信するステップ（ｈ）と、
をさらに具備する請求項７〜１０のいずれか１項記載の弁当発注管理方法。
【発明の詳細な説明】
【技術分野】
【０００１】
本発明は、会社や事業所等の組織において、組織の構成員からの弁当の予約注文に基づいて弁当業者に対する弁当の発注を管理するための弁当発注管理システムに関する。さらに、本発明は、そのような弁当発注管理システムにおいて用いられる弁当発注管理サーバ、及び、弁当発注管理方法に関する。
【背景技術】
【０００２】
近年においては、組織におけるネットワーク環境の構築に伴って、組織の構成員が、パーソナルコンピュータ等の端末装置からネットワークを介してサーバにアクセスし、弁当の予約注文を行うことにより、組織において構成員の注文を取りまとめて、組織から仕出し弁当業者に対して弁当を発注することが行われている。
【０００３】
関連する技術として、下記の特許文献１には、マイクロコンピュータを利用して従業員の勤怠状況の把握を行う勤怠システム装置における昼食予約システムが開示されている。この昼食予約システムは、会社等の個々の従業員に関する情報を記憶したＩＤカードの使用によって従業員の勤怠状況を確認、記憶、及び、表示するための勤怠システム装置において、その日の昼食弁当の予約を確認するためのＹＥＳ・ＮＯスイッチを設け、該スイッチの操作によって昼食予約者を日毎の予約者リストに記録して表示するシステムと、カード利用者毎の月次勤怠状況の報告に予約の累計を記録して表示するシステムとを有することを特徴とする。
【０００４】
また、下記の特許文献２には、マイクロコンピュータを利用して従業員の勤怠状況の把握を行う勤怠システム装置におけるデータ集積機能が開示されている。このデータ集積機能は、会社等の個々の従業員に関する情報を記憶したＩＤカードの使用によって従業員の勤怠状況を確認、記憶、及び、表示するための勤怠システム装置において、個々のカード利用者の勤怠状況や昼食注文数等のデータをフレキシブルディスク内に集積し、該データを給与計算装置に入力可能に構成したことを特徴とする。
【０００５】
しかしながら、これらの特許文献１及び２によれば、従業員が、その日毎に出勤時に昼食弁当の予約を行うので、数日先の昼食弁当を予約することはできない。そこで、当日に限らず、数日先の昼食弁当も予約可能とすることが考えられる。ただし、その場合には、数日先の昼食弁当を予約した従業員が、当日になって出張等により昼食弁当を必要としなくなる場合も起こり得るので、そのような場合に弁当が余って無駄になってしまう。また、余った弁当を他の従業員が替わりに受け取ることも考えられるが、後日、従業員間で弁当代のやり取りをしなければならないので繁雑である。
【０００６】
さらに、環境マネージメントシステムに関するＩＳＯ（国際標準化機構）１４０００によれば、組織の経営者に対して、組織の活動、製品又はサービスの性質、規模及び環境影響に対して適切であることが求められているので、そのような要請に適合することも大切である。
【特許文献１】特開平５−１０１２３９号公報（第２頁、図１）
【特許文献２】特開平５−１０１２４２号公報（第２頁、図１）
【発明の開示】
【発明が解決しようとする課題】
【０００７】
そこで、上記の点に鑑み、本発明は、当日に限らず、数日先の弁当も予約することができ、また、当日に欠席した構成員によって予約されていた弁当を無駄にしないような弁当発注管理システムを提供することを目的とする。さらに、本発明は、そのような弁当発注管理システムにおいて用いられる弁当発注管理サーバ、及び、弁当発注管理方法を提供することを目的とする。
【課題を解決するための手段】
【０００８】
上記課題を解決するため、本発明の１つの観点に係る弁当発注管理サーバは、組織の構成員からの弁当の予約注文に基づいて弁当業者に対する弁当の発注を管理するための弁当発注管理サーバであって、弁当を必要とする日付及び弁当の種別を含む予約注文を構成員の端末装置から受信する送受信部と、送受信部によって受信された予約注文に基づいて、複数の構成員についての日付と予約された弁当の種別との対応関係を含む一覧情報を作成すると共に、出勤日の第１の所定の時刻に当日分の弁当に関する予約注文の受付を締め切って、当日分の弁当の予約内容を集計して弁当業者に対する弁当の発注内容を表す発注情報を作成し、出勤日の第２の所定の時刻に構成員の勤怠情報を収集して、当日に欠席した構成員によって予約されていた弁当に関する再予約注文の受付を行う集計部とを具備する。
【０００９】
また、本発明の１つの観点に係る弁当発注管理システムは、上記の弁当発注管理サーバと、弁当発注管理サーバに予約注文を送信する際に構成員が操作する端末装置とを具備する。
【００１０】
さらに、本発明の１つの観点に係る弁当発注管理方法は、組織の構成員からの弁当の予約注文に基づいて弁当業者に対する弁当の発注を管理するための弁当発注管理サーバにおいて用いられる弁当発注管理方法であって、弁当を必要とする日付及び弁当の種別を含む予約注文を構成員の端末装置から受信するステップ（ａ）と、受信した予約注文に基づいて、複数の構成員についての日付と予約された弁当の種別との対応関係を含む一覧情報を作成するステップ（ｂ）と、出勤日の第１の所定の時刻に当日分の弁当に関する予約注文の受付を締め切って、当日分の弁当の予約内容を集計して弁当業者に対する弁当の発注内容を表す発注情報を作成するステップ（ｃ）と、出勤日の第２の所定の時刻に構成員の勤怠情報を収集して、当日に欠席した構成員によって予約されていた弁当に対する再予約注文の受付を行うステップ（ｄ）とを具備する。
【発明の効果】
【００１１】
本発明によれば、弁当を必要とする日付及び弁当の種別を含む予約注文を構成員の端末装置から受信して、複数の構成員についての日付と予約された弁当の種別との対応関係を含む一覧情報を作成するようにしたので、当日に限らず数日先の弁当も予約することができる。さらに、構成員の勤怠情報を収集して、当日に欠席した構成員によって予約されていた弁当に対する再予約注文を受け付けるようにしたので、欠席者によって予約されていた弁当を有効に活用することができる。
【発明を実施するための最良の形態】
【００１２】
以下、本発明を実施するための最良の形態について、図面を参照しながら詳しく説明する。
図１は、本発明の一実施形態に係る弁当発注管理サーバと端末装置とによって構成される弁当発注管理システムを示す図である。この弁当発注管理システムは、会社や事業所等の組織において、組織の構成員からの弁当の予約注文に基づいて、弁当業者に対する弁当の発注を管理するために用いられる。以下においては、ある会社において、社員からの弁当の予約注文に基づいて弁当の発注を管理する場合について説明する。
【００１３】
図１に示すように、この弁当発注管理システムは、会社に設置された弁当発注管理サーバ１０と、社員が弁当の予約注文を行う際に操作する少なくとも１つの端末装置２０と、弁当業者の端末装置３１と、弁当業者の端末装置３１に接続されたプリンタ３２とによって構成される。ネットワーク４０は、ＬＡＮ（ローカルエリア・ネットワーク）及びインターネットを含んでおり、例えば、弁当発注管理サーバ１０と端末装置２０とは、ＬＡＮを介して接続され、弁当発注管理サーバ１０と弁当業者の端末装置３１とは、ＬＡＮ及びインターネットを介して接続される。
【００１４】
社員が、弁当を予約するために、弁当を必要とする日付及び弁当の種別を含む予約注文を端末装置２０に入力すると、端末装置２０は、ネットワーク４０を介して弁当発注管理サーバ１０に予約注文を送信する。以下においては、弁当の種別として、４つの種別Ａ〜Ｄがあるものとする。１人の社員が複数の弁当を予約することも考えられるので、予約注文には、弁当の種別毎に弁当の個数を含めるようにしても良い。
【００１５】
弁当発注管理サーバ１０は、ネットワーク４０を介して社員の端末装置２０及び弁当業者の端末装置３１との間で通信を行う送受信部１１と、送受信部１１によって受信された予約注文の内容を集計して、弁当業者に対する弁当の発注内容を表す発注情報を作成する集計部１２と、弁当の予約又は発注に関する弁当情報を格納するハードディスク又はメモリ等を含む弁当情報格納部１３と、社員の勤怠情報を格納するハードディスク又はメモリ等を含む勤怠情報格納部１４と、各種の命令等を入力するために用いられるキーボードやマウス等を含む入力部１５と、操作画面や予約内容等を表示するＣＲＴ又はＬＣＤディスプレイ等を含む表示部１６と、プリンタ等の印字部１７とを有している。
【００１６】
集計部１２は、中央演算装置（ＣＰＵ）と、ＣＰＵに各種の処理を行わせるためのソフトウェア（弁当発注管理プログラム）を記録した記録媒体とによって構成することができる。その場合には、ＣＰＵが、記録媒体に記録されている弁当発注管理プログラムに基づいて動作する。記録媒体としては、ハードディスク、フレキシブルディスク、ＭＯ、ＭＴ、ＣＤ−ＲＯＭ、又は、ＤＶＤ−ＲＯＭ等を用いることができる。なお、弁当情報と、社員の勤怠情報と、弁当発注管理プログラムとを、同じ記録媒体の別の記録領域に記録するようにしても良い。
【００１７】
次に、図１に示す弁当発注管理サーバの動作について説明する。図２〜図４は、本発明の一実施形態に係る弁当発注管理方法を示すフローチャートである。
社員が端末装置２０に弁当の予約注文を入力して、端末装置２０が予約注文を弁当発注管理サーバ１０に送信すると、図２のステップＳ１１において、弁当発注管理サーバ１０の送受信部１１が予約注文を受信して、集計部１２が予約を受け付ける。
【００１８】
ステップＳ１２において、集計部１２は、送受信部１１によって受信された予約注文に基づいて、複数の構成員についての日付と予約された弁当の種別との対応関係を含むカレンダー形式の一覧情報を作成し、弁当情報格納部１３に一覧情報を格納する。一覧情報には、社員のＩＤ番号に加えて、社員の氏名や、その社員が所属する部署や、その部署が配置されているフロアの階数等を含む予約元情報を添付するようにしても良い。
【００１９】
図５は、集計部によって作成される一覧情報の内容を示す図である。図５においては、一覧情報の一部のみ、即ち、１週間分の出勤日（７日〜１１日）における予約状況が示されている。例えば、ＩＤ番号３００１の社員は、７日及び８日に種別Ａの弁当を予約していることが分る。なお、予約注文が弁当の個数を含む場合には、例えば、種別Ａの弁当が１個の場合には「Ａ」、種別Ａの弁当が２個の場合には「２Ａ」のように表される。
【００２０】
ステップＳ１３において、集計部１２が、端末装置２０からの要求に応じて、又は、所定の日時に、弁当情報格納部１３に格納されている一覧情報に基づいて、個々の構成員についての日付と予約された弁当の種別との対応関係を含む予約情報を作成すると共に、ステップＳ１４において、所定の期間（例えば、１か月分とする）の弁当代を計算して予約情報に添付する。さらに、ステップＳ１５において、送受信部１１が、集計部１２によって作成された予約情報を、それぞれの社員の端末装置２０に送信する。それにより、個々の社員の端末装置２０において、予約情報の内容が表示される。
【００２１】
図６は、社員の端末装置に表示される予約情報の内容を示す図である。予約情報の内容は、カレンダー形式で表示され、これに基づいて、例えば、ＩＤ番号３００１の社員が、１日〜４日、７日、８日に種別Ａの弁当を予約していることが分る。また、１か月分の弁当代の金額は、４，８００円となっている。この金額は、例えば、給与から自動的に天引きされる。
【００２２】
ステップＳ１６において、集計部１２が、弁当発注管理サーバ１０に内蔵されているリアルタイククロック等を利用して時刻を計測し、ステップＳ１７において、計測された時刻が出勤日の第１の所定の時刻（例えば、午前９時３０分）であるか否かを判定する。計測された時刻が第１の所定の時刻になっていなければ、処理がステップＳ１６に戻り、計測された時刻が第１の所定の時刻になっていれば、処理がステップＳ１８に進む。
【００２３】
ステップＳ１８において、集計部１２は、当日分の弁当に関する予約注文の受付を締め切り、ステップＳ１９において、当日分の弁当の予約内容を集計して弁当業者に対する弁当の発注内容を表す発注情報を作成する。
【００２４】
図７は、集計部によって作成される発注情報の内容を示す図である。この発注情報に基づいて、種別Ａの弁当を５２個、種別Ｂの弁当を４５個、種別Ｃの弁当を２１個、種別Ｄの弁当を３０個発注すべきことが分る。
【００２５】
ステップＳ２０において、作成された発注情報に基づいて、弁当業者に対して弁当の発注が行われる。弁当の発注は、弁当発注管理サーバ１０が、ネットワーク４０を介して弁当業者の端末装置３１に発注情報を送信することにより行っても良いし、あるいは、オペレータが、弁当発注管理サーバ１０の印字部１７を用いて発注書を作成し、その発注書を弁当業者にファクシミリ等で送信することにより行っても良い。
【００２６】
また、発注情報又は発注書に加えて、発注元の会社名を含む発注元情報、及び、弁当の種別に対応して、その弁当を予約注文した社員の部署や氏名等を含む予約元情報を弁当業者に送信するようにしても良い。その場合には、弁当業者が、弁当に付される帯封に、その弁当の種別に加えて、発注元の会社名、及び、その弁当を予約注文した社員の部署や氏名等を印字又は添付することができる。さらに、弁当に付される帯封には、弁当の種別及び／又は発注元を色又は模様で区別するための識別領域を設けることが望ましい。
【００２７】
あるいは、予約元情報を弁当業者に送信する替わりに、発注元の会社において、予約元情報を利用して、弁当業者から届いた弁当を仕分けするようにしても良い。その際には、弁当の種別に対応して、その弁当を予約注文した社員の部署や氏名等を含む予約元情報を印字した仕分け用紙を用いることができる。
【００２８】
図３のステップＳ２１において、集計部１２は、弁当発注管理サーバ１０に内蔵されているリアルタイククロック等を利用して時刻を計測し、ステップＳ２２において、計測された時刻が出勤日の第２の所定の時刻（例えば、午前１１時３０分）であるか否かを判定する。計測された時刻が第２の所定の時刻になっていなければ、処理がステップＳ２１に戻り、計測された時刻が第２の所定の時刻になっていれば、処理がステップＳ２３に進む。
【００２９】
ステップＳ２３において、集計部１２が、社員の勤怠情報を収集する。社員の勤怠情報は、各部の担当者が弁当発注管理サーバ１０の入力部１５を用いて入力することにより予め勤怠情報格納部１４に格納しておき、集計部１２が、勤怠情報格納部１４に格納されている勤怠情報を読み出すようにしても良い。
【００３０】
また、社員の勤怠情報は、通常、社内の勤怠情報管理システムによって管理されているので、集計部１２は、ＬＡＮを介して勤怠情報管理システムと通信を行うことにより、社員の勤怠情報を収集しても良い。あるいは、弁当発注管理サーバ１０が、勤怠情報管理システムの一部を構成するようにして、タイムレコーダから直接、勤怠情報を収集するようにしても良い。
【００３１】
ステップＳ２４において、集計部１２は、収集された勤怠情報に基づいて、出張や休暇等により、その当日の第２の所定の時刻までに所属部署に出勤しなかった社員（本願においては、「欠席者」という）を確定する。さらに、ステップＳ２５において、集計部１２は、欠席者によって予約されていた弁当に関する欠席者弁当情報を作成する。ステップＳ２６において、送受信部１１が、欠席者弁当情報を社員の端末装置２０に送信する。
【００３２】
それにより、社員の端末装置２０において、欠席により余った弁当の種別と個数とが表示される。ここで、端末装置２０として用いられるパーソナルコンピュータのアラート機能を利用することにより、警告ウインドウやお知らせサービスを表示部に表示させて、社員の注目を喚起するようにしても良い。なお、集計部１２は、欠席者弁当情報を全ての社員の端末装置２０に送信しても良いが、欠席者の端末装置２０には送信する必要がない。
【００３３】
図８は、集計部によって作成される欠席者弁当情報の内容を示す図である。この欠席者弁当情報に基づいて、種別Ａの弁当が４個、種別Ｂの弁当が３個、種別Ｄの弁当が１個余っていることが分る。これを見た社員は、当日の天候が悪かったり、資源を無駄にしたくない等の理由により、余っている弁当の再予約を行うことができる。社員が、余っている弁当の再予約を行うために、端末装置２０を操作して再予約注文を弁当発注管理サーバ１０に送信すると、ステップＳ２７において、弁当発注管理サーバ１０の送受信部１１が再予約注文を受信して、集計部１２が再予約を受け付ける。
【００３４】
ステップＳ２８において、集計部１２は、送受信部１１によって受信された再予約注文に基づいて、欠席者弁当情報を更新する。ステップＳ２９において、送受信部１１は、集計部１２によって更新された欠席者弁当情報を社員の端末装置２０に送信する。それにより、社員の端末装置２０において、現在余っている弁当の種別と個数が更新されて表示される。
【００３５】
ステップＳ３０において、集計部１２は、余っている弁当が全て再予約されるか、又は、第３の所定の時刻（例えば、午前１１時５５分）になると、再予約の受付を締め切って、弁当の予約を確定する。ステップＳ３１において、集計部１２は、送受信部１１によって受信された再予約注文に基づいて、弁当情報格納部１３に格納されている一覧情報を更新する。
【００３６】
図９は、集計部によって更新された一覧情報の内容を示す図である。図９においては、一覧情報の一部のみ、即ち、１週間分の出勤日（７日〜１１日）における予約状況が示されている。図５に示すように、ＩＤ番号３００１の社員は、８日のために種別Ａの弁当を予約していたが、８日に出席しなかったので予約が取り消され、そのことがストライクラインによって示されている。一方、ＩＤ番号３００２の社員は、８日において予約が取り消された種別Ａの弁当を再予約したので、そのことがアンダーラインによって示されている。
【００３７】
ステップＳ３２において、集計部１２は、弁当情報格納部１３に格納されている更新された一覧情報に基づいて、個々の構成員についての日付と予約された弁当の種別との対応関係を含む予約情報を更新すると共に、ステップＳ３３において、１か月分の弁当代を再計算して予約情報に添付する。さらに、ステップＳ３４において、送受信部１１が、集計部１２によって更新された予約情報を、それぞれの社員の端末装置２０に送信する。それにより、個々の社員の端末装置２０において、更新された予約情報の内容が表示される。
【００３８】
図１０及び図１１は、社員の端末装置に表示される更新された予約情報の内容を示す図である。図１０において、ＩＤ番号３００１の社員は、８日において種別Ａの弁当の予約を取り消されたことがストライクラインによって示されている。これにより、１か月分の弁当代は、４，４００円に減額されている。一方、図１１において、ＩＤ番号３００２の社員は、８日において予約が取り消された種別Ａの弁当を再予約したことがアンダーラインによって示されている。これにより、１か月分の弁当代は、４，８００円に増額されている。
【００３９】
このように、本実施形態によれば、弁当を予約していた社員が出張等によって出席できなくなっても、余った弁当を、その社員の知り合いのみならず、広く会社内の希望する社員に効率良く受け渡すことが可能となり、また、弁当代の金額も自動的に修正される。
【図面の簡単な説明】
【００４０】
【図１】本発明の一実施形態に係る弁当発注管理サーバと端末装置とによって構成される弁当発注管理システムを示す図である。
【図２】本発明の一実施形態に係る弁当発注管理方法を示すフローチャートである。
【図３】本発明の一実施形態に係る弁当発注管理方法を示すフローチャートである。
【図４】本発明の一実施形態に係る弁当発注管理方法を示すフローチャートである。
【図５】集計部によって作成される一覧情報の内容を示す図である。
【図６】社員の端末装置に表示される予約情報の内容を示す図である。
【図７】集計部によって作成される発注情報の内容を示す図である。
【図８】集計部によって作成される欠席者弁当情報の内容を示す図である。
【図９】集計部によって更新された一覧情報の内容を示す図である。
【図１０】社員の端末装置に表示される更新された予約情報の内容を示す図である。
【図１１】社員の端末装置に表示される更新された予約情報の内容を示す図である。
【符号の説明】
【００４１】
１０  弁当発注管理サーバ
１１  送受信部
１２  集計部
１３  弁当情報格納部
１４  勤怠情報格納部
１５  入力部
１６  表示部
１７  印字部
２０  社員の端末装置
３１  弁当業者の端末装置
３２  プリンタ
４０  ネットワーク
【図１】
2008225990.tif 000003
【図２】
2008225990.tif 000004
【図３】
2008225990.tif 000005
【図４】
2008225990.tif 000006
【図５】
2008225990.tif 000007
【図６】
2008225990.tif 000008
【図７】
2008225990.tif 000009
【図８】
2008225990.tif 000010
【図９】
2008225990.tif 000011
【図１０】
2008225990.tif 000012
【図１１】
2008225990.tif 000013